(57)【特許請求の範囲】
【請求項１】
床フレームとバルコニー柱と手摺壁とからなり、バルコニー床部の水下となる一側部に沿って軒樋が取り付けられたバルコニーユニットが天井フレームを備える鉄骨製の居室ユニット上に設けられたバルコニーユニットの取付構造において、
前記バルコニー床部の水上部は前記天井フレームと床フレームの梁に第１の固定手段で取り付けられ、
上方に開放する取付口を形成した箱状の柱頭ジョイント金具がバルコニー床部に一体に設けられ、
前記柱頭ジョイント金具の上部には前記バルコニー柱が取り付けられ、
前記バルコニー床部の水下部は前記居室ユニット柱の柱頭とバルコニー柱とが前記柱頭ジョイント金具を介して第２の固定手段で取り付けられるとともに、
前記第２の固定手段は、前記バルコニー柱を貫通し前記バルコニー床部を前記居室ユニット柱の柱頭に固定している柱頭ジョイントボルトを備え、
前記居室ユニット柱の柱頭に上方に突出する柱頭ジョイント突部が設けられ、前記バルコニー床部に前記柱頭ジョイント突部に嵌合する柱頭ジョイント凹部が設けられていると共に、前記柱頭ジョイントボルトが前記柱頭ジョイント突部に螺着されており、
前記柱頭ジョイント金具の底壁に上方に膨出する膨出突部が形成され、前記膨出突部内に前記柱頭ジョイント凹部が形成されていることを特徴とするバルコニーユニットの取付構造。
【発明の詳細な説明】
【０００１】
【発明の属する技術分野】
この発明は、軒樋が設けられるバルコニーユニットを居室ユニット上に取り付けるバルコニーユニットの取付構造に関するものである。
【０００２】
【従来の技術】
従来のユニット建物には、図１１，図１２に示したように、鉄骨フレーム製の下屋居室ユニット（建物ユニット）１を少なくとも２以上並設し、この下屋居室ユニット１の一つの上に上階居室ユニット２を設置すると共に、他の下屋ユニット１上にバルコニーユニット３を設置するようにしたものがある（図１１参照）。１ａは下屋居室ユニット１の天井フレーム、３ａはバルコニーユニット３の床フレーム、４は天井フレーム１ａの桁梁、５はバルコニーユニット３のバルコニー梁である。
【０００３】
この様な構成においては、図１３に示した様に桁梁４やバルコニー梁５が溝形鋼から形成されている。そして、桁梁４はフランジ４ａを有し、バルコニー梁５はフランジ５ａを有する。しかも、桁梁４とバルコニー梁５は、建築現場においてフランジ４ａ，５ａ同士がボルト（図示せず）で固定される。
【０００４】
【発明が解決しようとする課題】
ところで、この様なバルコニーユニット３においては、床フレーム３ａ上の床板６は、上階居室ユニット２側の端部６ａから反対側の端部（軒先）６ｂ側に傾斜させることにより、雨水等が端部（水上）６ａから端部（水下）６ｂ側に流下するようになっているのが普通である。しかも、この端部（水下）６ｂに軒樋７を設置するのが普通である。
【０００５】
しかしながら、下屋居室ユニット１とバルコニーユニット３は、建築現場において天井フレームのフランジ４ａと床フレーム３ａのフランジ５ａをボルトで固定する構成である。このため、軒樋７が組み付けられた状態ではフランジ４ａ，５ａ同士をボルトで固定することができないものであった。この結果、工場において軒樋７が組み付けられた床フレーム３ａを建築現場まで搬送して、床フレーム３ａを天井フレーム１ａに組み付けることができないものであった。
【０００６】
そこで、この発明は、この様な軒樋をバルコニーユニットの床フレームに予め組み付けておいても、下屋居室ユニットとバルコニーユニットとを建築現場において容易に組み付けることができるバルコニーユニットの取付構造を提供することを目的とするものである。
【０００７】
【発明の属する技術分野】
この目的を達成するため、本発明は、床フレームとバルコニー柱と手摺壁とからなり、バルコニー床部の水下となる一側部に沿って軒樋が取り付けられたバルコニーユニットが天井フレームを備える鉄骨製の居室ユニット上に設けられたバルコニーユニットの取付構造において、前記バルコニー床部の水上部は前記天井フレームと床フレームの梁に第１の固定手段で取り付けられ、上方に開放する取付口を形成した箱状の柱頭ジョイント金具がバルコニー床部に一体に設けられ、前記柱頭ジョイント金具の上部には前記バルコニー柱が取り付けられ、前記バルコニー床部の水下部は前記居室ユニット柱の柱頭とバルコニー柱とが前記柱頭ジョイント金具を介して第２の固定手段で取り付けられるバルコニーユニットの取付構造としたことを特徴とする。この構成によれば、バルコニー床部の水上となる他側部側を妻梁フランジに第１の固定手段で取り付け、バルコニー床部の一側部をユニット柱の柱頭に第２の固定手段で取り付ける。この床部の一側部をユニット柱の柱頭に第２の固定手段で取り付ける際に、軒樋をバルコニーユニットの床部に予め組み付けておいても、軒樋が邪魔となることはない。
【０００８】
また、本発明は、前記第２の固定手段は、バルコニー柱を貫通し前記バルコニー床部を前記居室ユニット柱の柱頭に固定している柱頭ジョイントボルトを備えることを特徴とする。この構成によれば、柱頭ジョイントボルトで床部をユニット柱の上端部に固定することになるので、床部を柱頭に簡易に固定できる。
【０００９】
さらに、本発明は、前記居室ユニット柱の柱頭に上方に突出する柱頭ジョイント突部が設けられ、前記バルコニー床部に前記柱頭ジョイント突部に嵌合する柱頭ジョイント凹部が設けられていると共に、前記柱頭ジョイントボルトが前記柱頭ジョイント突部に螺着されていることを特徴とする。この構成によれば、居室ユニット側の柱頭ジョイント突部にバルコニーユニット側の柱頭ジョイント凹部を合わせることにより、バルコニーユニットと居室ユニットとの位置決めが容易にできる。
【００１０】
そして、本発明は、上方に開放する取付口を形成した箱状の柱頭ジョイント金具がバルコニー床部に一体に設けられ、前記柱頭ジョイント金具の底壁に上方に膨出する膨出突部が形成され、前記膨出突部内に前記柱頭ジョイント凹部が形成されていることを特徴とする。この構成によれば、柱頭ジョイント凹部を簡易に形成できる。
【００１１】
【発明の実施の形態】
以下、この発明の実施の形態を図１〜図１０に基づいて説明する。
【００１２】
図１において、１０は鉄骨フレーム製の下屋居室ユニット（建物ユニット）、１１は下屋居室ユニット１の一つの上に設置された鉄骨フレーム製の上階居室ユニット、１２は下屋居室ユニット１の他の一つの上に設置されたバルコニーユニットである（図２参照）。
【００１３】
また、下屋居室ユニット１０は、方形状の床フレーム１３と、床フレーム１３の四隅に植立固定されたユニット柱（図３，図４参照）１４，１４′、ユニット柱１４の上端部に固定された天井フレーム１５を有する。１４は軒先側のユニット柱、１４′は上階居室ユニット１１側のユニット柱である。
【００１４】
この天井フレーム１５は、端部がユニット柱１４の柱頭（上端部）１４ａの一側部に固定された軒先側桁梁１６と、端部がユニット柱１４の柱頭（上端部）の他側部とユニット柱１４′の柱頭（上端部）の一側部に固定された妻梁１７と、上階居室ユニット１４′側の桁梁１８を有する（図１０参照）。１６ａは軒先側桁梁１６のフランジ、１７ａは妻梁１７に設けられた妻梁フランジである。
【００１５】
軒先側のユニット柱１４の柱頭（上端部）１４ａ上には、柱頭ジョイント突部である柱頭ジョイントピン１９が設けられている。この柱頭ジョイントピン１９は、図８，図９に示したように、下部に取付軸部１９ａを有し、上部に上方に向かうに従って先細りテーパ状の係合軸部１９ｂを有する。そして、第２の固定手段を構成する柱頭ジョイントピン１９の取付軸部１９ａは、柱頭１４ａの端壁１４ｂに取り付けられている。ここで、取付軸部１９ａにネジを形成して、取付軸部１９ａを端壁１４ｂに螺着することにより、取付軸１９ａを端壁に取り付けても良い。また、端壁１４ｂに嵌着穴を設けて、取付軸部１９ａを嵌着穴に圧入することにより、取付軸１９ａを端壁に取り付けても良い。しかも、係合軸部１９ｂには上端に開口するネジ穴１９ｃが形成されている。これにより柱頭ジョイント突部を容易に形成できる。
【００１６】
また、バルコニーユニット１２は、バルコニー床部２０と、バルコニー床部２０の周縁に沿う手摺２１を有する。バルコニー床部２０は、図１及び図１０に示したように、床フレーム２２と、床フレーム２２上の床部材２３を有する。
【００１７】
床フレーム２２は、図５に示したように軒先側床梁２４と、この軒先側床梁２４の両端部に固定された柱頭ジョイント金具２５（図６〜図９参照）と、居室側床梁２６と、両端が柱頭ジョイント金具２５及び居室側床梁２６の端部に固定された側部梁２７と、床梁２４，２６の中間部間に配設された小梁２８を有する。２７ａは側部梁２７のフランジである。
【００１８】
また、バルコニー柱２１ａに固定されて第２の固定手段を構成する柱頭ジョイント金具２５は、図８，図９に示したように中空で箱状に形成されている。そして、柱頭ジョイント金具２５の上壁２５ａには上方に開放する取付口２９が形成され、柱頭ジョイント金具２５の底壁２５ｂには上方に膨出する膨出突部３０が形成されている。この膨出突部３０内には、下方に開口する柱頭ジョイント凹部３１が形成されている。この柱頭ジョイント凹部３１は、下方に向かうに従って拡径するテーパ状に形成され、柱頭ジョイントピン１９のテーパ状の係合軸部１９ｂに遊びなく嵌合されている。この構成により柱頭ジョイント凹部３１を簡易に形成できる。
【００１９】
しかも、側部梁２７のフランジ２７ａは、図４に示したように、妻梁フランジ１７ａにボルト３２とナット３３を備える第１の固定手段３４により着脱可能に固定されている。
【００２０】
また、第２の固定手段は、柱頭ジョイント金具２５の膨出突部３０の上端を貫通する第２の固定手段を構成する柱頭ジョイントボルト３５を柱頭ジョイントピン１９のネジ穴１９ｃに螺着することにより、ユニット柱１４の柱頭１４ａに着脱可能に固定されて構成される。３６は柱頭ジョイントピン３５の頭部３５ａ膨出突部３０との間に介装されたスプリングワッシャーである。
【００２１】
床部材２３は、図１０に示した様に床フレーム２２上に配設された床根太３７と、床根太３７上に取り付けられた床板３８と、床フレーム２２の軒先側端部上に配設された床下地板３９と、手摺２１に沿って床下地板３９上に取り付けられた軒先床根太４０と、軒先床根太４０上に取り付けられた軒先床板４１と、床下地板３９上に位置させて軒先床根太４０上に取り付けられた軒樋４２と、軒樋４２上を覆うグレーチング４３を有する。
【００２２】
尚、床板３８は、上階居室ユニット１１側から軒樋４２側に向けて下方に傾斜させられ、上階居室ユニット１１側が水上部となり軒樋４２側が水下部となる。
【００２３】
更に、手摺２１は、軒先側床梁２４と側部梁２７の間、即ち柱頭ジョイント金具２５の上部に取り付けられた溝形鋼製のバルコニー柱２１ａと、軒先側床梁２４上に取り付けられたバルコニー壁（手摺壁）２１ｂ、及び側部梁２７に取り付けられたバルコニー壁（手摺壁）２１ｃを有する。尚、作業者は、バルコニー柱２１ａの開放している部分（図８では左側、図９では右側）から柱頭ジョイント金具２５の取付口２９の上部に工具や手を入れることができる。
【００２４】
次に、この様な構成のバルコニーユニットの取付構造の作用を説明する。
【００２５】
この様な構成においては、床下地板３９，軒先床根太４０，軒先床板４１及び軒樋４２を工場で予めバルコニーユニット１２の床フレーム２２に組み付けておいて、この床フレーム２２を建築現場まで輸送した後、建築現場において床フレーム２２を下屋居室ユニット１０の天井フレーム１５上に設置する。
【００２６】
この際、柱頭ジョイントピン１９のテーパ状の係合軸部１９ｂを柱頭ジョイント金具２５の柱頭ジョイント凹部３１に嵌合する。これにより、柱頭ジョイントピン１９のテーパ状の係合軸部１９ｂは柱頭ジョイント凹部３１に遊びなくテーパ嵌合される。この結果、バルコニーユニット１２の床フレーム２２と下屋居室ユニット１０の天井フレーム１５との位置決が容易にできると共に、床部２３の床フレーム２２を柱頭２４ａに簡易に固定できる。
【００２７】
この状態で、柱頭ジョイント金具２５の取付口２９を介して柱頭ジョイントボルト３５を柱頭ジョイント金具２５内に配設すると共に、柱頭ジョイントピン１９の係合軸部１９ｂに設けたネジ穴１９ｃに柱頭ジョイントボルト３５を螺着して締め付けることにより、第２の固定手段で床フレーム２２の軒先（水下）側を天井フレーム１５に取り付ける。この際に、軒樋４２を床部２３の床フレーム２２に予め組み付けておいても、軒樋４２が邪魔となることはない。
【００２８】
一方、側部梁２７のフランジ２７ａを、図４に示したように、妻梁フランジ１７ａにボルト３２とナット３３を備える第１の固定手段３４で固定することにより、床フレーム２２の水上側が天井フレーム１５上に固定される。
【００２９】
【発明の効果】
以上説明したように、請求項１の発明は、床フレームとバルコニー柱と手摺壁とからなり、バルコニー床部の水下となる一側部に沿って軒樋が取り付けられたバルコニーユニットが天井フレームを備える鉄骨製の居室ユニット上に設けられたバルコニーユニットの取付構造において、前記バルコニー床部の水上部は前記天井フレームと床フレームの梁に第１の固定手段で取り付けられ、前記バルコニー床部の水下部は前記居室ユニット柱の柱頭とバルコニー柱とが第２の固定手段で取り付けられる構成としたので、バルコニー床部の一側部をユニット柱の柱頭に第２の固定手段で取り付ける際に、軒樋をバルコニーユニットの床部に予め組み付けておいても、軒樋が邪魔となることがなく、下屋居室ユニットとバルコニーユニットとを建築現場において容易に組み付けることができる。
【００３０】
請求項２の発明は、前記第２の固定手段は、バルコニー柱を貫通し前記バルコニー床部を前記居室ユニット柱の柱頭に固定している柱頭ジョイントボルトである構成としたので、柱頭ジョイントボルトで床部をユニット柱の上端部に固定することになるので、床部を柱頭に簡易に固定できる。
【００３１】
請求項３の発明は、前記居室ユニット柱の柱頭に上方に突出する柱頭ジョイント突部が設けられ、前記バルコニー床部に前記柱頭ジョイント突部に嵌合する柱頭ジョイント凹部が設けられていると共に、前記柱頭ジョイントボルトが前記柱頭ジョイント突部に螺着されている構成としたので、居室ユニット側の柱頭ジョイント突部にバルコニーユニット側の柱頭ジョイント凹部を合わせることにより、バルコニーユニットと居室ユニットとの位置決が容易にできる。
【００３２】
請求項４の発明は、上方に開放する取付口を形成した箱状の柱頭ジョイント金具がバルコニー床部に一体に設けられ、前記柱頭ジョイント金具の底壁に上方に膨出する膨出突部が形成され、前記膨出突部内に前記柱頭ジョイント凹部が形成されている構成としたので、柱頭ジョイント凹部を簡易に形成できる。
【図面の簡単な説明】
【図１】この発明に係るユニット建物の概略側面図である。
【図２】図１の概略平面図である。
【図３】図１，２の建物ユニットフレームの水下側の要部概略斜視図である。
【図４】図１，２の建物ユニットフレームの水上側の要部概略斜視図である。
【図５】図３，図４のバルコニーユニットの床フレームの平面図である。
【図６】図３，図５の柱頭ジョイント金具の部分の平面図である。
【図７】図６の柱頭ジョイント金具の部分の正面図である。
【図８】図６のＡ−Ａ線における断面において図３のユニット柱と柱頭ジョイント金具を取り付けた部分の説明図である。
【図９】図６のＢ−Ｂ線における断面において図３のユニット柱と柱頭ジョイント金具を取り付けた部分の説明図である。
【図１０】図２のバルコニーユニットのＣ−Ｃ線に沿う断面図である。
【図１１】従来のバルコニーユニット付のユニット建物の概略側面図である。
【図１２】図１１のユニット建物の概略平面図である。
【図１３】図１２のＤ−Ｄ線に沿う断面図である。
【符号の説明】
１０・・・下屋居室ユニット（建物ユニット）
１１・・・上階居室ユニット
１２・・・バルコニーユニット
１４・・・ユニット柱
１５・・・天井フレーム
１４ａ・・・柱頭（上端部）
１６・・・軒先側桁梁
１７・・・妻梁
１７ａ・・・妻梁フランジ
１９・・・柱頭ジョイントピン（柱頭ジョイント突部）
２０・・・バルコニー床部
２１・・・手摺
２１ａ・・・バルコニー柱
２１ｂ，２１ｃ・・・バルコニー壁（手摺壁）
２２・・・床フレーム
２４・・・軒先側床梁
２５・・・柱頭ジョイント金具
２７・・・側部梁
２５ａ・・・上壁
２９・・・取付口
２５ｂ・・・底壁
３０・・・膨出突部
３１・・・柱頭ジョイント凹部
３４・・・第１の固定手段
３４により着脱可能に固定されている。
３５・・・柱頭ジョイントボルト（第２の固定手段）
４２・・・軒樋
【図１】
0004242033.tif 000002
【図２】
0004242033.tif 000003
【図３】
0004242033.tif 000004
【図４】
0004242033.tif 000005
【図５】
0004242033.tif 000006
【図６】
0004242033.tif 000007
【図７】
0004242033.tif 000008
【図８】
0004242033.tif 000009
【図９】
0004242033.tif 000010
【図１０】
0004242033.tif 000011
【図１１】
0004242033.tif 000012
【図１２】
0004242033.tif 000013
【図１３】
0004242033.tif 000014